(57)【特許請求の範囲】
【請求項１】
住居の室外に設置され、居住者を呼び出すための呼出釦が操作されたとき、呼出要求を送信するインターホン親機と、
前記インターホン親機から前記呼出要求が送信されたとき、前記居住者を呼び出すための呼び出しを報知する報知部と前記報知に対するユーザの応答を受け付ける応答受付部とを備えたインターホン子機と、
前記報知部による前記報知に対応して、前記応答受付部によって前記応答が受け付けられたか否かの応答の判定を実行する応答判定部と、
前記応答判定部による判定結果に基づいて、前記ユーザの安否を判定する安否判定部とを備える安否確認システム。
【請求項２】
前記インターホン親機は、前記住居を複数含む集合住宅の共用ゲートの外側に配設され、
前記応答受付部は、前記共用ゲートを解錠するための解錠指示を受け付ける解錠指示受付部を含み、
前記応答には、前記解錠指示受付部による前記解錠指示の受け付けを含む請求項１記載の安否確認システム。
【請求項３】
前記インターホン子機は、移動体通信網に通信接続可能な移動体通信端末装置であり、
前記インターホン親機は、前記呼出要求を、前記移動体通信網を介して前記インターホン子機へ送信する請求項１又は２に記載の安否確認システム。
【請求項４】
前記インターホン親機は、前記住居を複数含む集合住宅の共用ゲートの外側に配設され、前記複数の住居には、それぞれを識別するための部屋番号が付与されており、
前記インターホン子機は、前記各住居とそれぞれ対応して設けられ、
前記インターホン親機は、
前記部屋番号の入力を受け付ける部屋番号受付部と、
前記部屋番号受付部によって前記部屋番号が受け付けられた場合、その受け付けられた部屋番号を宛先に指定して前記呼出要求を送信する呼出制御部とを含み、
前記安否確認システムは、
前記各部屋番号を示す情報と、その各部屋番号の住居と対応するインターホン子機にアクセスするためのアクセス情報とを対応づけて記憶するアクセス情報記憶部と、
前記呼出制御部から前記呼出要求が送信されたとき、その送信された呼出要求の宛先に指定された部屋番号に対して前記アクセス情報記憶部によって対応づけて記憶されたアクセス情報を取得するアクセス情報取得部と、
前記アクセス情報取得部によって取得されたアクセス情報を用いて、前記送信された呼出要求を、前記移動体通信網を介して前記インターホン子機へ送信する移動体アクセス処理部とを含む請求項３記載の安否確認システム。
【請求項５】
請求項１〜４のいずれか１項に記載の安否確認システムと、
複数の前記住居とを含む集合住宅。
【請求項６】
住居の室外に設置され、居住者を呼び出すための呼出釦が操作されたときに呼出要求を送信するインターホン親機から前記呼出要求が送信されたとき、前記居住者を呼び出すための呼び出しを報知する報知部と、
前記報知に対するユーザの応答を受け付ける応答受付部と、
前記報知部による前記報知に対応して、前記応答受付部によって前記応答が受け付けられたか否かの応答の判定を実行する応答判定部と、
前記応答判定部による判定結果に基づいて、前記ユーザの安否を判定する安否判定部とを備えるインターホン。
【発明の詳細な説明】
【技術分野】
【０００１】
本発明は、住居に居住する居住者の安否を確認する安否確認システム、インターホン、その安否確認システムを備えた集合住宅、及びこの安否確認システムに適したインターホンシステムに関する。
【背景技術】
【０００２】
近年、単身世帯の増加や、高齢化の進展に伴い、独居高齢者世帯が増加傾向にある。このような独居高齢者世帯では、同居者がいないため、居住者が病気や怪我をしたり、あるいは動けなくなっていたりするなどの異常が生じた場合であっても、そのような異常が生じたことを外部の人間が知ることができない。このような社会情勢の中で、住居に居住する居住者の安否を確認可能とするシステムのニーズが高まっている。
【０００３】
そこで、人体を検知する焦電素子を用いて、玄関、居間、食堂などの人の活動を検知し、予め設定された一定時間以上、人の活動が検知されなかった場合に警報を発するようにした異常報知装置が知られている（例えば、特許文献１参照）。
【先行技術文献】
【特許文献】
【０００４】
【特許文献１】特開昭６４−２１９８号公報
【発明の概要】
【発明が解決しようとする課題】
【０００５】
しかしながら、人体を検知する焦電素子は高価なため、上述の異常報知装置では、人の安否を検知するためのコストが増大するという、不都合があった。
【０００６】
本発明の目的は、人の安否を検知するためのコストを低減することができる安否確認システム、インターホン、集合住宅、及びこの安否確認システムに適したインターホンシステムを提供することである。
【課題を解決するための手段】
【０００７】
本発明に係る安否確認システムは、住居の室外に設置されるインターホン親機と、前記インターホン親機からの呼び出しを報知する報知部と前記報知に対するユーザの応答を受け付ける応答受付部とを備えたインターホン子機と、前記報知部による前記報知に対応して、前記応答受付部によって前記応答が受け付けられたか否かの応答の判定を実行する応答判定部と、前記応答判定部による判定結果に基づいて、前記ユーザの安否を判定する安否判定部とを備える。
【０００８】
また、本発明に係るインターホンは、住居の室外に設置されるインターホン親機からの呼び出しを報知する報知部と、前記報知に対するユーザの応答を受け付ける応答受付部と、前記報知部による前記報知に対応して、前記応答受付部によって前記応答が受け付けられたか否かの応答の判定を実行する応答判定部と、前記応答判定部による判定結果に基づいて、前記ユーザの安否を判定する安否判定部とを備える。
【０００９】
これらの構成によれば、住居の室外に設置されるインターホン親機からの呼び出しが報知部によって報知され、その報知に対してユーザが応答すると、その応答が応答受付部によって受け付けられる。そして、報知部による報知に対応して、応答受付部によって応答が受け付けられたか否かの応答の判定が応答判定部によって実行される。このとき、ユーザが健康を害するなどして安否に異常が生じている場合、ユーザが応答できなくなると考えられるから、応答判定部による応答の判定結果には、ユーザの安否が反映される。そこで、安否判定部によれば、応答判定部による判定結果に基づいて、ユーザの安否を判定することができる。この場合、背景技術に記載のように、人の安否を検知するために高価な焦電素子を用いる必要がないため、人の安否を検知するためのコストを低減することができる。
【００１０】
また、前記インターホン子機は、移動体通信網に通信接続可能な移動体通信端末装置であり、前記インターホン親機は、前記インターホン子機による前記呼び出しを要求する呼出要求を、前記移動体通信網を介して前記インターホン子機へ送信することが好ましい。
【００１１】
この構成によれば、ユーザが所有しているスマートフォンや携帯電話機等の移動体通信端末装置をインターホン子機として用いることができる。その結果、専用のインターホン子機を設ける必要が無いので、インターホンのコストを低減することができる。また、もし仮に、インターホン子機が部屋に固定的に取り付けられていた場合には、居住者がインターホン子機とは別の部屋にいたとき、呼び出しに気付かずに応答しないおそれがある。この場合、安否確認の判定精度が低下する。一方、移動体通信端末装置をインターホン子機とすれば、居住者は、自分の移動体通信端末装置を身に付けることができるので、居住者がどの部屋にいても、応答することができる。その結果、安否確認の判定精度が向上する。また、ユーザは、建物の内部外部を問わず、移動体通信網に接続可能な環境下にいれば、何処でも応答することができる。すなわち何処にいても安否が確認できる。
【００１２】
また、前記安否判定部は、前記応答判定部によって前記応答が受け付けられなかった旨の判定が連続してなされた回数を計数する計数部と、前記計数部により計数された前記回数が、所定の判定回数を超えた場合、前記ユーザの安否に問題が生じたと判定する判定部とを含むことが好ましい。
【００１３】
応答判定部によって応答が受け付けられなかった場合、必ずしもユーザの安否に問題が生じているとは限らず、手が離せない事情がある場合もある。そこで、この構成によれば、計数部によって、応答判定部によって応答が受け付けられなかった旨の判定が連続してなされた回数が計数され、判定部によって、計数部により計数された回数が所定の判定回数を超えた場合、ユーザの安否に問題が生じたと判定される。これにより、安否の判断の精度が向上する。
【００１４】
また、前記ユーザが当該ユーザの前記住居に在宅中か不在中かを示す在宅情報を取得する在宅情報取得部をさらに備え、前記応答判定部は、前記在宅情報取得部によって取得された前記在宅情報が前記不在中を示すとき、前記応答の判定を行わないことが好ましい。
【００１５】
ユーザが不在の場合は安否に問題が生じていなくても、呼び出しに対して応答することができない。そこでこの構成によれば、在宅情報取得部によって、ユーザが在宅中か不在中かを示す在宅情報が取得され、応答判定部は、在宅情報が不在中を示すとき、応答の判定を行わない。その結果、不在中の呼び出しに対する無応答により安否判断を誤るおそれが低減される。
【００１６】
また、前記ユーザが当該ユーザの前記住居に在宅中か不在中かを示す在宅情報を取得する在宅情報取得部をさらに備え、前記安否判定部は、前記在宅情報取得部によって取得された前記在宅情報が前記不在中を示すとき、前記安否の判定を行わないようにしてもよい。
【００１７】
ユーザが不在の場合は安否に問題が生じていなくても、呼び出しに対して応答することができない。そこでこの構成によれば、在宅情報取得部によって、ユーザが在宅中か不在中かを示す在宅情報が取得され、安否判定部は、在宅情報が不在中を示すとき、安否の判定を行わない。その結果、不在中の呼び出しに対する無応答により安否判断を誤るおそれが低減される。
【００１８】
また、前記ユーザが当該ユーザの前記住居に在宅中か不在中かを示す在宅情報を取得する在宅情報取得部をさらに備え、前記計数部は、前記在宅情報取得部によって取得された前記在宅情報が前記不在中を示すとき、前記計数を行わないようにしてもよい。
【００１９】
ユーザが不在の場合は安否に問題が生じていなくても、呼び出しに対して応答することができない。そこでこの構成によれば、在宅情報取得部によって、ユーザが在宅中か不在中かを示す在宅情報が取得され、計数部は、在宅情報が不在中を示すとき、応答が受け付けられなかった旨の判定が連続してなされた回数の計数を行わない。その結果、不在中の呼び出しに対する無応答により安否判断を誤るおそれが低減される。
【００２０】
また、前記応答判定部は、現在時刻が所定の時刻の範囲内のとき、前記応答の判定を行わないことが好ましい。
【００２１】
例えば就寝時刻や出勤している時刻など、呼び出しに対して応答できない時間帯が存在する場合がある。そこでこの構成によれば、このように応答できない時間帯を所定の時刻範囲として設定しておくことによって、応答判定部は、現在時刻が所定の時刻の範囲内のとき、応答の判定を行わないようにできる。その結果、応答できない時刻範囲内の呼び出しに対する無応答により安否判断を誤るおそれが低減される。
【００２２】
また、前記安否判定部は、現在時刻が所定の時刻の範囲内のとき、前記安否の判定を行わないことが好ましい。
【００２３】
この構成によれば、上述のように応答できない時間帯を所定の時刻範囲として設定しておくことによって、安否判定部は、現在時刻が所定の時刻の範囲内のとき、安否の判定を行わないようにできる。その結果、応答できない時刻範囲内の呼び出しに対する無応答により安否判断を誤るおそれが低減される。
【００２４】
また、前記計数部は、現在時刻が所定の時刻の範囲内のとき、前記計数を行わないことが好ましい。
【００２５】
この構成によれば、上述のように応答できない時間帯を所定の時刻範囲として設定しておくことによって、計数部は、現在時刻が所定の時刻の範囲内のとき、応答が受け付けられなかった旨の判定が連続してなされた回数の計数を行わないようにできる。その結果、応答できない時刻範囲内の呼び出しに対する無応答により安否判断を誤るおそれが低減される。
【００２６】
また、前記インターホン親機は、前記住居を複数含む集合住宅の共用ゲートの外側に配設され、前記応答受付部は、前記共用ゲートを解錠するための解錠指示を受け付ける解錠指示受付部を含み、前記応答には、前記解錠指示受付部による前記解錠指示の受け付けを含むことが好ましい。
【００２７】
この構成によれば、集合住宅の共用ゲートを解錠するための操作を、ユーザの応答として用いることができる。
【００２８】
また、前記インターホン親機は、前記住居を複数含む集合住宅の共用ゲートの外側に配設され、前記複数の住居には、それぞれを識別するための部屋番号が付与されており、前記インターホン子機は、前記各住居とそれぞれ対応して設けられ、前記インターホン親機は、前記部屋番号の入力を受け付ける部屋番号受付部と、前記部屋番号受付部によって前記部屋番号が受け付けられた場合、その受け付けられた部屋番号を宛先に指定して前記呼び出しを要求する呼出要求を送信する呼出制御部とを含み、前記安否確認システムは、前記各部屋番号を示す情報と、その各部屋番号の住居と対応するインターホン子機にアクセスするためのアクセス情報とを対応づけて記憶するアクセス情報記憶部と、前記呼出制御部から前記呼出要求が送信されたとき、その送信された呼出要求の宛先に指定された部屋番号に対して前記アクセス情報記憶部によって対応づけて記憶されたアクセス情報を取得するアクセス情報取得部と、前記アクセス情報取得部によって取得されたアクセス情報を用いて、前記送信された呼出要求を、前記移動体通信網を介して前記インターホン子機へ送信する移動体アクセス処理部とを含むことが好ましい。
【００２９】
この構成によれば、インターホン親機によって受け付けられた部屋番号が、呼出制御部によって宛先に指定されて呼出要求が送信される。そして、アクセス情報取得部によって、その呼出要求の宛先に指定された部屋番号に対してアクセス情報記憶部によって対応づけて記憶されたアクセス情報が取得され、すなわち宛先に指定された部屋番号の住居に対応するインターホン子機に移動体通信網を介してアクセスするためのアクセス情報が取得される。そして、移動体アクセス処理部によって、そのアクセス情報を用いて呼出要求が、移動体通信網を介してインターホン子機へ送信される。その結果、来訪者が訪問先の部屋番号を入力することにより、ユーザの移動体通信端末装置であるインターホン子機へ呼出要求を送信することができるので、ユーザの移動体通信端末装置を、インターホンの子機として用いることが可能となる。
【００３０】
また、本発明に係る集合住宅は、上述の安否確認システムと、複数の前記住居とを含む。
【００３１】
この構成によれば、集合住宅において、上述の効果が得られる。
【００３２】
また、本発明に係るインターホンシステムは、住居の室外に設置されたインターホン親機と、前記住居と対応して設けられたインターホン子機とを含むインターホンシステムであって、前記インターホン子機は、移動体通信網に通信接続可能な移動体通信端末装置であり、前記インターホン親機は、前記住居の居住者を呼び出すための呼出要求操作を受け付ける呼出要求受付部と、前記呼出要求受付部によって前記呼出要求操作が受け付けられたとき、前記居住者を呼び出すための呼出要求を、前記移動体通信網を介して前記インターホン子機へ送信する呼出制御部とを備える。
【００３３】
また、本発明に係るインターホンシステムは、それぞれを識別するための部屋番号が付与された複数の住居を含む集合住宅の共用ゲートの外側に設置されるインターホン親機を含むインターホンシステムであって、前記インターホン親機は、前記部屋番号の入力を受け付ける部屋番号受付部と、前記部屋番号受付部によって前記部屋番号が受け付けられた場合、その受け付けられた部屋番号を宛先に指定して前記呼び出しを要求する呼出要求を送信する呼出制御部とを備え、前記インターホンシステムは、前記各部屋番号を示す情報と、その各部屋番号の住居と対応して設けられ、かつ移動体通信網に通信接続可能な移動体通信端末装置であるインターホン子機にアクセスするためのアクセス情報とを対応づけて記憶するアクセス情報記憶部と、前記呼出制御部から前記呼出要求が送信されたとき、その送信された呼出要求の宛先に指定された部屋番号に対して前記アクセス情報記憶部によって対応づけて記憶されたアクセス情報を取得するアクセス情報取得部と、前記アクセス情報取得部によって取得されたアクセス情報を用いて、前記呼出制御部から送信された呼出要求を、前記移動体通信網を介して前記インターホン子機へ送信する移動体アクセス処理部とを含む。
【００３４】
これらの構成のインターホンシステムは、移動体通信端末装置をインターホン子機として用いることができるので、上述の安否確認システムに用いた場合、居住者は、自分の移動体通信端末装置を身に付けることができる。従って、居住者がどの部屋にいても、応答することができる。その結果、安否確認の判定精度が向上する。従って、このような構成のインターホンシステムは、上述の安否確認システムに適している。
【００３５】
また、これらの構成のインターホンシステムは、居住者が、自分の移動体通信端末装置をインターホン子機として用いることができるので、専用のインターホン子機を設ける場合と比べてコストを低減することができる。また、自分の移動体通信端末装置を身に付けて外出することができるので、外出中であっても、来訪者に対して移動体通信端末装置によって応答することができる。これにより、留守中であることが来訪者に知られることがないので、防犯上好ましい。また、外出中に居住者が来訪者に応答できるので、居住者及び来訪者の利便性が向上する。
【発明の効果】
【００３６】
このような構成の安否確認システム、インターホン、及び集合住宅は、人の安否を検知するためのコストを低減することができる。また、このような構成のインターホンシステムは、上述の安否確認システムに適している。
【図面の簡単な説明】
【００３７】
【図１】本発明の一実施形態に係る安否確認システムを備えた集合住宅の構成を概念的に示した説明図である。
【図２】図１に示す安否確認システムの構成の一例を概念的に示すブロック図である。
【図３】図２に示す安否確認システムの動作の一例を示すフローチャートである。
【図４】図３に示す安否確認システムの動作の変形例を示すフローチャートである。
【図５】本発明の第２実施形態に係る安否確認システムの構成を大略的に示すブロック図である。
【図６】図５に示すスマートフォンの電気的構成の一例を示すブロック図である。
【図７】図５に示すインターホン親機の電気的構成の一例を示すブロック図である。
【図８】図５に示す管理装置の電気的構成の一例を示すブロック図である。
【図９】図５に示すスマートフォンの主に表示画面を説明するための外観図である。
【図１０】図５に示すスマートフォンの主に表示画面を説明するための外観図である。
【図１１】図５に示す安否確認システムにおける、インターホン親機からスマートフォンへの呼出要求処理の一例を示すフローチャートである。
【発明を実施するための形態】
【００３８】
以下、本発明に係る実施形態を図面に基づいて説明する。なお、各図において同一の符号を付した構成は、同一の構成であることを示し、その説明を省略する。
（第１実施形態）
【００３９】
図１は、本発明の一実施形態に係る安否確認システム１を備えた集合住宅２の構成を概念的に示した説明図である。図１は、上方から下を見下ろした見取り図とされている。集合住宅２は、いわゆるマンションである。集合住宅２は、建屋本体２１と、エントランス２３とを備えている。建屋本体２１には、住戸（住居）１０１，１０２，１０３と、管理人室２２０と、住戸１０１，１０２，１０３と管理人室２２０とで共用される通路２２とが設けられている。
【００４０】
なお、集合住宅２に住戸が３戸設けられた例を示したが、集合住宅２に設けられた住戸の数は、複数であればよく、３戸に限定されない。
【００４１】
エントランス２３と建屋本体２１との間には、共用ゲート２３３が設けられている。エントランス２３には、玄関扉２３１と、インターホン親機６とが設けられている。すなわち、インターホン親機６は、住戸１０１，１０２，１０３の外であって、共用ゲート２３３の外側に配設されている。
【００４２】
共用ゲート２３３は、居住者（ユーザ）がインターホン親機６を用いて認証を行い、その認証が成功した場合、あるいは居住者が住戸内から解錠操作を行った場合に開く扉である。共用ゲート２３３が開くと、エントランス２３と通路２２とがつながって、エントランス２３から建屋本体２１に入館した居住者が、通路２２を通って住戸１０１，１０２，１０３まで行けるようになっている。
【００４３】
また、例えば共用ゲート２３３の上方天井付近には、後述する無線通信部２３４が取り付けられている。また、例えば共用ゲート２３３の内側の上方天井付近には、後述するドアセンサ２４が取り付けられている。
【００４４】
住戸１０１，１０２，１０３には、それぞれ入口扉３が設けられている。住戸１０１，１０２，１０３内の例えば壁面には、インターホン子機４が取り付けられている。管理人室２２０内には、管理装置５が設置されている。なお、集合住宅２は、管理人室２２０を備えていなくてもよく、管理装置５は、例えば集合住宅２の外部に設置され、集合住宅２と管理装置５とが通信回線で接続されていてもよい。
【００４５】
図２は、図１に示す安否確認システム１の構成の一例を概念的に示すブロック図である。図２に示す安否確認システム１は、インターホン子機４と、管理装置５と、インターホン親機６と、ドアセンサ２４と、無線通信部２３４と、共用ゲート駆動部２３５とを備えている。なお、図２では各住戸に配設されたインターホン子機４について１つだけ記載し、他のインターホン子機４の記載を省略している。
【００４６】
インターホン親機６は、例えば液晶やＬＥＤ（Light Emitting Diode）等の表示部６１、部屋番号やパスワードを入力するためのキーボード６２（部屋番号受付部）、キーボード６２で入力された部屋番号の居住者を呼び出すための呼出釦６３、スピーカ６４、マイク６５、及びＩＣカードリーダ６６を備えている。表示部６１は、キーボード６２で入力された部屋番号や、操作を案内するためのメッセージなどが表示される。なお、表示部６１、キーボード６２、及び呼出釦６３は、例えばタッチパネルディスプレイによって一体に構成されていてもよい。
【００４７】
インターホン親機６は、住戸１０１，１０２，１０３のインターホン子機４及び管理装置５と例えば通信ケーブルで接続され、各住戸のインターホン子機４及び管理装置５との間で通信可能にされている。
【００４８】
集合住宅２に来訪した来訪者が、キーボード６２を操作して部屋番号を入力して呼出釦６３を押下すると、インターホン親機６は、その部屋番号の住戸に配設されたインターホン子機４と通信可能に接続され、そのインターホン子機４に対して呼出要求信号を送信する。これにより、来訪者は、スピーカ６４とマイク６５とを用いて訪問先の住戸の居住者と会話可能にされている。
【００４９】
ＩＣカードリーダ６６は、集合住宅２に入館しようとする居住者の所持しているＩＣカードを読み取って、ＩＣカードから読み取られた情報を管理装置５へ送信する。これにより、管理装置５で入館しようとする居住者を認証可能にされている。ＩＣカードとしては、例えばＮＦＣ（Near Field Communication）方式のＩＣカード（認証カード）を用いることができる。これにより、居住者は、自分のＩＣカードをインターホン親機６のＩＣカードリーダ６６にタッチすることで認証が可能となる。
【００５０】
なお、居住者の認証方法としては、ＩＣカードによる認証の他、パスワードによる認証、指紋認証、対象者の顔画像により認証する顔認証、あるいは予め電話番号が登録された携帯電話機から予め定められた解錠専用電話番号へ番号通知を有効にした状態で電話する、といった種々の方法を用いることができる。
【００５１】
インターホン親機６は、ＩＣカードによる認証を行うときは、例えばＩＣカードから、認証用のデータと各住戸を識別する情報である部屋番号とを認証情報として読み出してもよく、パスワードによる認証を行うときは、キーボード操作によって被認証者が入力した部屋番号とパスワードとを認証情報として取得してもよい。
【００５２】
また、インターホン親機６は、指紋認証を行うときは被認証者の指紋を、顔認証を行うときは被認証者の顔の画像を、認証情報として取得してもよい。管理装置５は、上記携帯電話機による認証を行うときは、上記解錠専用電話に掛かってきた電話から通知された電話番号を認証情報として取得してもよい。このような場合、被認証者の指紋や顔の画像を示す情報、あるいは被認証者の所有する携帯電話機の電話番号等を被認証者が居住する住戸の部屋番号と対応付けるルックアップテーブルを、予め管理装置５の記憶部５０６に記憶しておくことによって、そのルックアップテーブルを参照することで、認証情報から被認証者の部屋番号を特定することができる。これにより、被認証者の指紋や顔の画像を示す情報、あるいは被認証者の所有する携帯電話機の電話番号等を、被認証者の住戸を特定する情報、すなわち各住戸を識別する認証情報として用いることができる。
【００５３】
管理装置５は、例えばパーソナルコンピュータやサーバ装置等の情報処理装置である。管理装置５は、例えば所定の演算処理を実行するＣＰＵ（Central Processing Unit）、一時的にデータを記憶するＲＡＭ（Random Access Memory）、所定の制御プログラムを記憶するＨＤＤ（Hard Disk Drive）装置、ＲＴＣ（Real Time Clock）、タイマ回路、通信インターフェイス回路、及びその周辺回路等を備えて構成されている。
【００５４】
管理装置５は、インターホン親機６及びインターホン子機４との間でデータ送受信可能に通信接続されている。管理装置５には、ドアセンサ２４、無線通信部２３４、共用ゲート駆動部２３５、及びネットワーク７が接続されている。ネットワーク７としては、例えばインターネットや公衆電話回線等、種々の通信回線を用いることができる。
【００５５】
そして、管理装置５は、例えばＨＤＤ装置に記憶された制御プログラムを実行することによって、認証処理部５０１、共用ゲート開閉処理部５０２、住居情報取得部５０３、入出管理部５０４、及び通報部５０５として機能する。また、管理装置５は、例えばＨＤＤ装置やＲＡＭ等から構成された記憶部５０６を備えている。
【００５６】
記憶部５０６には、予め、住戸１０１，１０２，１０３の部屋番号（１０１，１０２，１０３）と対応付けて、各住戸に対応する連絡先となる電話番号やメールアドレス、ＩＰアドレス等を示す連絡先情報が記憶されている。電話番号としては、例えば各住戸の居住者の親族の携帯電話機や固定電話の電話番号を用いることができる。メールアドレスとしては、例えば各住戸の居住者の親族の携帯電話機やパーソナルコンピュータ等のメールアドレスを用いることができる。この場合、携帯電話機、固定電話、いわゆるスマートフォン、パーソナルコンピュータ等が、通報部５０５の報知先となる端末装置の一例に相当する。
【００５７】
なお、連絡先の電話番号やメールアドレスは、例えば居住者に対する介護サービスを行う管理業者や行政サービスを行う公共団体の電話番号又はメールアドレスであってもよく、各住戸に対して共通する電話番号又はメールアドレスであってもよい。
【００５８】
ドアセンサ２４は、共用ゲート２３３の内側において、共用ゲート２３３近傍に接近した人を検知するセンサである。ドアセンサ２４としては、例えば反射式光センサを用いることができる。
【００５９】
無線通信部２３４は、例えばＲＦＩＤ（Radio Frequency IDentification）用の送受信装置である。無線通信部２３４は、図１に示すように、共用ゲート２３３の上方から、共用ゲート２３３を含む領域２３４Ａに対して、ＲＦタグ読み出し用の電波を出力する。
【００６０】
領域２３４Ａ内にＲＦタグ（無線通信装置）が存在した場合、ＲＦタグは、ＲＦタグ読み出し用の電波に応答して、部屋番号等の各住戸を識別する住居情報を含む認証情報を無線通信部２３４へ送信する。無線通信部２３４は、ＲＦタグから住居情報を受信すると、その住居情報を管理装置５へ送信する。
【００６１】
集合住宅２の居住者は、自分が居住する住戸の住居情報を記憶したＲＦタグを身につけるようにされている。その結果、居住者が共用ゲート２３３を通ると、共用ゲート２３３を通った居住者が居住する住戸を示す住居情報が無線通信部２３４によって取得される。これにより、居住者の入館、及び退館を検出することが可能にされている。
【００６２】
無線通信部２３４及びＲＦタグとしては、例えばＩＳＯ／ＩＥＣ１８０００−６で定められたＵＨＦ帯（８６０〜９６０ＭＨｚ）のＲＦＩＤシステムを好適に用いることができる。ＵＨＦ帯のＲＦＩＤは、電波の指向性が高いため、無線通信部２３４から領域２３４Ａの範囲に略限定してＲＦタグ読み出し用の電波を送信することが容易である。ＲＦタグ読み出し用の電波を領域２３４Ａの範囲に限定して送信することで、共用ゲート２３３を通らない居住者が身につけているＲＦタグから誤って住居情報を取得するおそれが低減される。
【００６３】
共用ゲート駆動部２３５は、共用ゲート開閉処理部５０２からの制御信号に応じて共用ゲート２３３を施錠又は解錠したり、開閉したりするモータやギヤ等の駆動機構である。
【００６４】
認証処理部５０１は、インターホン親機６から送信された認証情報に基づいて、その認証情報により示される部屋番号に対応付けて、すなわちその認証情報により識別される住戸に対応付けて認証を行う。
【００６５】
共用ゲート開閉処理部５０２は、認証処理部５０１による認証が成功した場合、ドアセンサ２４によって人が検知された場合、及びインターホン子機４から解錠指示信号を受信した場合に、予め設定された開放時間、例えば１０秒間、共用ゲート駆動部２３５によって共用ゲート２３３を開かせた後、共用ゲート２３３を閉じさせる。
【００６６】
住居情報取得部５０３は、共用ゲート開閉処理部５０２によって共用ゲート２３３が開かれている期間中に、無線通信部２３４から住居情報が送信され、すなわち住戸１０１，１０２，１０３のうちいずれかを示す住居情報が受信された場合、その受信された住居情報を取得する。
【００６７】
入出管理部５０４は、居住者の出入りを管理し、その出入り状況に応じて居住者が在宅中か不在中かを示す在宅情報を生成し、記憶部５０６に記憶させる。具体的には、入出管理部５０４は、例えば、認証処理部５０１による認証が成功した後、予め設定された時間、例えばドアが開放される開放時間内に認証情報により示される部屋番号で示される住戸を示す住居情報が無線通信部２３４によって取得されたとき、その住戸の居住者が入館したと判定し、その住戸に対応して「在宅中」を示す在宅情報を生成する。
【００６８】
また、入出管理部５０４は、例えば、ドアセンサ２４によって人が検知された後、予め設定された時間、例えばドアが開放される開放時間内に認証情報により示される部屋番号で示される住戸を示す住居情報が無線通信部２３４によって取得されたとき、その住戸の居住者が外出したと判定し、その住戸に対応して「不在中」を示す在宅情報を生成する。
【００６９】
また、入出管理部５０４は、開放時間内に複数の住居情報が無線通信部２３４によって取得されたとき、各住居情報で示される住戸について、記憶部５０６に記憶された在宅情報を参照し、在宅情報が「在宅中」のときは「不在中」に、在宅情報が「不在中」のときは「在宅中」に変更する。これにより、居住者の共連れによる入館、外出があった場合でも、居住者が在宅中であるか、不在中であるかを判断することが可能となる。
【００７０】
通報部５０５は、インターホン子機４から、異常を報知する安否異常信号を受信したとき、そのインターホン子機４の設置された住戸に対応して異常の発生を報知する。通報部５０５は、例えば通信インターフェイス回路や、ＤＴＭＦ（Dual Tone Multi-Frequency）生成回路、音声合成回路等を用いて構成されており、ネットワーク７に接続されている。
【００７１】
そして、通報部５０５は、その住戸に対応する連絡先の電話番号へ電話をかけ、例えば音声合成により、その判定条件を満たした住戸について異常が生じたことを示すメッセージを、ネットワーク７を介して連絡先の電話端末装置へ送信することによって、異常の発生を報知する。通報部５０５は、例えば管理人室２２０に配設された図略のディスプレイ装置にメッセージを表示することによって、異常の発生を報知してもよい。
【００７２】
あるいは、通報部５０５は、連絡先としてメールアドレスを用い、インターネット等のネットワーク７を介して電子メールにより異常が生じたことを示すメッセージを送信してもよい。通報部５０５は、記憶部５０６を参照することによって、上記連絡先の電話番号、メールアドレス、あるいはＩＰアドレス等を取得することができる。
【００７３】
インターホン子機４は、例えば、制御部４１、表示器４２、スピーカ４３（報知部）、マイク４４、キーボード４５、応答釦４６（応答受付部）、解錠釦４７（応答受付部、解錠指示受付部）、及び通信Ｉ／Ｆ４９を備えて構成されている。表示器４２は、例えば液晶表示装置等の表示器である。なお、表示器４２、キーボード４５、応答釦４６、及び解錠釦４７は、例えばタッチパネルディスプレイによって一体に構成されていてもよい。
【００７４】
通信Ｉ／Ｆ４９は、インターホン子機４と、インターホン親機６及び管理装置５との間で通信を行う通信インターフェイス回路である。
【００７５】
スピーカ４３は、インターホン親機６のマイク６５によって集音された来訪者の音声を出力するためのスピーカである。また、スピーカ４３は、インターホン親機６の呼出釦６３が押され、インターホン親機６から呼出要求信号が送信されたとき、呼び出し音を出力することにより、インターホン親機６からの呼び出しを報知する。具体的には、インターホン親機６から送信された呼出要求信号は、通信Ｉ／Ｆ４９によって受信され、その呼出要求信号が通信Ｉ／Ｆ４９から制御部４１へ送信される。制御部４１は、その呼出要求信号を受信すると、スピーカ４３から呼び出し音を出力させる。
【００７６】
マイク４４は、居住者の音声を集音し、インターホン親機６のスピーカ６４から出力させるためのマイクである。キーボード４５は、居住者による時刻範囲の設定入力や判定回数の入力設定等を受け付けるための受付部である。
【００７７】
応答釦４６は、押下されたとき、居住者が応答したことを示す応答信号を制御部４１へ出力する。また、応答釦４６が押下されると、マイク４４により集音された音声を示す音声信号が、制御部４１によって通信Ｉ／Ｆ４９を介してインターホン親機６へ送信され、その音声がスピーカ６４から出力される。これにより、来訪者と居住者とが、インターホン親機６とインターホン子機４とを介して会話可能にされている。
【００７８】
解錠釦４７は、押下されることにより解錠指示を受け付け、共用ゲート２３３を解錠して開けることを指示する解錠指示信号を制御部４１へ出力する。
【００７９】
制御部４１は、例えば、所定の演算処理を実行するＣＰＵ、一時的にデータを記憶するＲＡＭ、所定の制御プログラムを記憶するＲＯＭ（Read Only Memory）やフラッシュメモリ等の不揮発性記憶部、ＲＴＣ（Real Time Clock）、タイマ回路、例えばＲＡＭやＥＥＰＲＯＭ（Electrically Erasable Programmable Read-Only Memory）で構成された記憶部４１９、及びその周辺回路等を備えて構成されている。
【００８０】
そして、制御部４１は、例えば不揮発性記憶部に記憶された制御プログラムを実行することによって、在宅情報取得部４１１、時刻範囲設定部４１２、応答判定部４１３、安否判定部４１４、異常報知部４１７、及び解錠処理部４１８として機能する。安否判定部４１４は、計数部４１５と判定部４１６とを含む。
【００８１】
在宅情報取得部４１１は、通信Ｉ／Ｆ４９を介して管理装置５へ、インターホン子機４が設置された住戸（以下、当該住戸と称する）の在宅情報を要求し、管理装置５から当該住戸の在宅情報を受信することによって、当該住戸の在宅情報を取得する。なお、在宅情報の取得方法は限定されない。例えば、インターホン子機４に在宅釦と不在釦とを設けておき、居住者は、外出時に不在釦を押下してから外出し、帰宅時に在宅釦を押下するようにしてもよい。そして、在宅情報取得部４１１は、在宅釦が押下された場合在宅中を示す在宅情報を取得し、不在釦が押下された場合不在中を示す在宅情報を取得するようにしてもよい。
【００８２】
時刻範囲設定部４１２は、例えば居住者がキーボード４５を操作して入力した時刻範囲の設定を受け付けて、時刻範囲設定情報として記憶部４１９に記憶させる。居住者は、例えば就寝しているなどのためにインターホン子機４の呼び出しに応答できない時刻範囲を、キーボード４５を操作して入力する。例えば、就寝時間として０時〜７時、昼寝の時間として１４時〜１５時、といった時刻範囲を入力する。あるいは、平日仕事で不在になる月曜〜金曜の８時〜１９時というように、曜日や日付と組み合わせて時刻範囲を入力するようにしてもよい。
【００８３】
解錠処理部４１８は、解錠釦４７から解錠指示信号を受信したとき、その解錠指示信号を、通信Ｉ／Ｆ４９を介して管理装置５へ送信する。
【００８４】
応答判定部４１３は、在宅情報取得部４１１によって取得された当該住戸の在宅情報が在宅中を示し、かつＲＴＣで得られた現在時刻が時刻範囲設定情報で示される時間範囲外である場合、スピーカ４３による呼び出しの報知に対応して、応答釦４６と解錠釦４７とのうち少なくともひとつが押下されたか否か、すなわち応答釦４６又は解錠釦４７によって居住者の応答が受け付けられたか否かを判定する。
【００８５】
すなわち、応答判定部４１３は、在宅情報取得部４１１によって取得された当該住戸の在宅情報が不在中を示すとき、及び現在時刻が時刻範囲設定情報で示される時間範囲内であるときは、応答釦４６、解錠釦４７によって応答が受け付けられたか否かの判定を実行しない。
【００８６】
具体的には、応答判定部４１３は、例えばスピーカ４３による呼び出しの報知が行われてから所定の監視時間Ｔｗ、例えば２０秒以内に応答釦４６と解錠釦４７とのうち少なくともひとつが押下された場合に呼び出しの報知に対する居住者の応答が受け付けられたと判定する。なお、必ずしも応答釦４６を備える例に限らない。例えば、マイク４４を応答受付部として用い、呼び出しの報知が行われてから監視時間Ｔｗ内に、マイク４４によって予め設定された音量を超える音声が検出された場合に呼び出しの報知に対する居住者の応答が受け付けられたと判定するようにしてもよく、他の手段によって居住者の応答を検出してもよい。また、解錠釦４７を備えていなくてもよい。
【００８７】
スピーカ４３による呼び出しの報知は、通信Ｉ／Ｆ４９によって呼出要求信号が受信され、制御部４１によってスピーカ４３から報知させる制御が行われた場合に実行されるのであるから、応答判定部４１３は、通信Ｉ／Ｆ４９によって呼出要求信号が受信されたときにスピーカ４３による呼び出しの報知が行われたものとして処理を行ってもよく、制御部４１によってスピーカ４３から報知させる制御が行われたときにスピーカ４３による呼び出しの報知が行われたものとして処理を行ってもよい。
【００８８】
安否判定部４１４は、応答判定部４１３による判定結果に基づいて、計数部４１５と判定部４１６とによって、当該住戸の居住者の安否を判定する。具体的には、計数部４１５は、在宅情報取得部４１１によって取得された当該住戸の在宅情報が在宅中を示し、かつＲＴＣで得られた現在時刻が時刻範囲設定情報で示される時間範囲外である場合、応答判定部４１３によって応答が受け付けられなかった旨の判定が連続してなされた回数を、計数値ＣＴとして計数する。
【００８９】
すなわち、計数部４１５は、在宅情報取得部４１１によって取得された当該住戸の在宅情報が不在中を示すとき、及び現在時刻が時刻範囲設定情報で示される時間範囲内であるときは、計数値ＣＴの計数を実行しない。また、計数部４１５は、応答判定部４１３によって応答が受け付けられた旨の判定がされたときは、計数値ＣＴを０に初期化する。
【００９０】
判定部４１６は、計数部４１５により計数された計数値ＣＴが、所定の判定回数Ｃｊを超えた場合、当該住戸の居住者の安否に問題が生じたと判定する。異常報知部４１７は、安否判定部４１４（判定部４１６）によって、当該住戸の居住者の安否に問題が生じたと判定された場合、安否の異常を報知するべく安否の異常を示す安否異常信号を、通信Ｉ／Ｆ４９を介して管理装置５へ送信する。
【００９１】
なお、安否判定部４１４は、必ずしも計数部４１５及び判定部４１６から構成される例に限らない。例えば、安否判定部４１４は、応答判定部４１３によって応答が受け付けられないことの発生頻度が所定の判定頻度を超えた場合に当該住戸の居住者の安否に問題が生じたと判定する構成としてもよい。
【００９２】
次に、上述のように構成された安否確認システム１の動作について説明する。図３は、図２に示す安否確認システム１の動作の一例を示すフローチャートである。まず、計数部４１５によって、計数値ＣＴが０に初期化される（ステップＳ１）。次に、応答判定部４１３によって、スピーカ４３による呼び出し報知がなされたか否かが監視される（ステップＳ２）。
【００９３】
ここで、来訪者が、エントランス２３でインターホン親機６を操作し、キーボード６２によって当該住戸の部屋番号を入力し、呼出釦６３を押下すると、インターホン親機６から当該住戸のインターホン子機４へ呼出要求信号が送信される。インターホン子機４で呼出要求信号が受信されると、スピーカ４３によって呼び出し音が出力され、呼び出しが報知される。そうすると、応答判定部４１３によって、スピーカ４３による呼び出し報知がなされたと判定され（ステップＳ２でＹＥＳ）、ステップＳ３へ移行する。このとき、応答判定部４１３は、スピーカ４３による呼び出し報知がなされたと判定されたときからの経過時間の計時を開始する。
【００９４】
一方、インターホン子機４で呼出要求信号が受信されなければ、スピーカ４３による呼び出し報知は実行されず、応答判定部４１３によって、スピーカ４３による呼び出し報知はなされていないと判定され（ステップＳ２でＮＯ）、呼び出し報知の監視を継続するべくステップＳ２が繰り返される。
【００９５】
なお、応答判定部４１３は、必ずしもスピーカ４３による呼び出し報知の実行の有無を直接監視する必要は無く、インターホン子機４による呼出要求信号の受信の有無に基づき、間接的に呼び出し報知の実行の有無を監視するようにしてもよい。
【００９６】
次に、ステップＳ３において、在宅情報取得部４１１によって当該住戸の在宅情報が取得され、応答判定部４１３によって、その在宅情報に基づき当該住戸の居住者が「在宅中」が「不在中」かが確認される。そして、その在宅情報が「不在中」を示す場合（ステップＳ３でＮＯ）、居住者は呼び出しに応答できない状態であり、応答の有無と居住者の安否とは無関係なので、応答判定部４１３は、応答判定を行うことなく再びステップＳ２へ移行する。
【００９７】
一方、その在宅情報が「在宅中」を示す場合（ステップＳ３でＹＥＳ）、応答判定部４１３は時刻範囲設定を確認するべくステップＳ４へ移行する。
【００９８】
次に、ステップＳ４において、応答判定部４１３によって、記憶部４１９に記憶された時刻範囲設定情報とＲＴＣとが参照され、現在時刻が時刻範囲設定情報で示される時刻の範囲内か否かが確認される（ステップＳ４）。そして、現在時刻が時刻範囲設定情報で示される時刻の範囲内である場合（ステップＳ４でＹＥＳ）、居住者は就寝中や出勤中などで応答できない可能性が高く、応答の有無と居住者の安否とは無関係である可能性が高いので、応答判定部４１３は、応答判定を行うことなく再びステップＳ２へ移行する。
【００９９】
一方、現在時刻が時刻範囲設定情報で示される時刻の範囲外である場合（ステップＳ４でＮＯ）、応答判定部４１３は、応答判定を行うべくステップＳ５へ移行する。
【０１００】
ステップＳ５において、応答判定部４１３によって、スピーカ４３による呼び出し報知が実行されたときから監視時間Ｔｗ以内に居住者の応答が受け付けられたか否かが確認される（ステップＳ５）。そして、呼び出し報知が実行されたときから監視時間Ｔｗ以内に居住者の応答が受け付けられた場合（ステップＳ５でＹＥＳ）、居住者が応答できないような健康上の異常は生じていないと考えられるので、計数部４１５によって計数値ＣＴが０に初期化され（ステップＳ６）、ステップＳ２へ移行する。
【０１０１】
一方、呼び出し報知が実行されたとき（ステップＳ２でＹＥＳ）から監視時間Ｔｗ以内に居住者の応答が受け付けられなかった場合（ステップＳ５でＮＯ）、居住者に応答できないような健康上の異常が生じている可能性があると考えられるので、計数部４１５によって計数値ＣＴが一つ加算される（ステップＳ７）。
【０１０２】
居住者が呼び出しに応答できなかったのが１回であれば、例えば入浴中であったとか、トイレに入っていたといった、安否（健康）とは無関係な理由で応答できなかった可能性がある。しかしながら、連続して複数回、居住者が呼び出しに応答できなかった場合、例えば立ち上がれない、歩けない、意識が無い等の健康上の異常が居住者に生じている可能性が高い。
【０１０３】
そこで、次に、ステップＳ８において、判定部４１６によって、計数値ＣＴと判定回数Ｃｊとが比較される（ステップＳ８）。そして、計数値ＣＴが判定回数Ｃｊ以下の場合（ステップＳ８でＮＯ）、健康上の異常が居住者に生じている可能性は低いと考えられるので、判定部４１６は、安否異常を報知することなくステップＳ２へ移行する。
【０１０４】
一方、計数値ＣＴが判定回数Ｃｊを超える場合（ステップＳ８でＹＥＳ）、健康上の異常が居住者に生じている可能性が高いと考えられるので、判定部４１６は、安否異常を報知するべくステップＳ９へ移行する。
【０１０５】
判定回数Ｃｊの値が小さいほど、居住者の健康に異常が生じた場合に異常の発生が早い応答機会に判断され、居住者の健康に異常が生じてから異常が報知されるまでの遅れが短縮されるメリットがある。一方、判定回数Ｃｊの値が小さいほど、健康上の異常とは無関係な事情で居住者が応答できなかった場合に誤って異常を報知してしまういわゆる誤報がなされるおそれが増大するデメリットがある。
【０１０６】
判定回数Ｃｊは、このようなメリットとデメリットとを考慮して適宜設定すればよい。判定回数Ｃｊは、このようにして予め設定されていてもよく、居住者や管理者等が、例えばインターホン子機４のキーボード４５を操作して判定回数Ｃｊを入力設定するようにしてもよい。
【０１０７】
ステップＳ９において、異常報知部４１７によって、安否の異常を報知するべく安否の異常を示す安否異常信号が、通信Ｉ／Ｆ４９を介して管理装置５へ送信される（ステップＳ９）。そうすると、管理装置５によって安否異常信号が受信され、通報部５０５によって当該住戸に対応して異常の発生が例えばネットワーク７や電話回線を介して予め設定された連絡先に通報される。
【０１０８】
以上、ステップＳ１〜Ｓ９の処理によれば、居住者の安否に異常が生じた場合、例えば親族や知人などの予め設定された連絡先に自動的に連絡されるので、例えば独居高齢者世帯等で居住者が健康を害した場合であっても、親族などが居住者を助けることが可能になる。また、背景技術に記載のように、人の安否を検知するために高価な焦電素子を用いる必要がないため、人の安否を検知するためのコストを低減することができる。
【０１０９】
また、ステップＳ３の処理によれば、当該住戸の居住者が不在のときに来訪者の呼び出しがあった場合であっても、ステップＳ７で計数値ＣＴが計数されることがないので、誤って計数値ＣＴが計数されて誤報が報知されるおそれが低減される。また、ステップＳ４の処理によれば、就寝や外出等により居住者が応答できない時刻範囲を予め時刻範囲設定情報として設定しておくことにより、居住者が応答できない時間帯に来訪者の呼び出しがあった場合であっても、ステップＳ７で計数値ＣＴが計数されることがないので、誤って計数値ＣＴが計数されて誤報が報知されるおそれが低減される。
【０１１０】
なお、入出管理部５０４や在宅情報取得部４１１を備えず、ステップＳ３を実行しない構成としてもよい。また、時刻範囲設定部４１２を備えず、ステップＳ４を実行しない構成としてもよい。また、例えば図４に示すように、ステップＳ３，Ｓ４をステップＳ５でＮＯの場合に実行することで、計数部４１５は、在宅情報取得部４１１によって取得された当該住戸の在宅情報が不在中を示すとき、及び／又は現在時刻が時刻範囲設定情報で示される時間範囲内であるときに計数値ＣＴの計数を実行しない構成としてもよい。
【０１１１】
また、インターホン親機６が、集合住宅２の各住戸で共用され、共用ゲート２３３の外側に配設される例を示したが、インターホン親機６は、各住戸にそれぞれ対応して、各住戸の入口扉３の外側に配設されていてもよい。また、安否確認システム１が、集合住宅２に設けられている例を示したが、安否確認システム１は、集合住宅に設けられる例に限らず、戸建て住宅に設けられていてもよい。これらの場合、インターホン親機６は、キーボード６２を備えていなくてもよい。そして、インターホン親機６は、呼出釦６３が押下されたとき、呼出要求信号を送信するようにしてもよい。
【０１１２】
また、管理装置５を備えていなくてもよい。また、インターホン親機６が、管理装置５を含んでいてもよい。あるいは、在宅情報取得部４１１、時刻範囲設定部４１２、応答判定部４１３、安否判定部４１４、異常報知部４１７、及び記憶部４１９のうち少なくとも一部を、インターホン子機４ではなく管理装置５又はインターホン親機６に備えてもよい。また、インターホン子機４は、住戸内に固定的に配設されている例に限らない。例えば、居住者の携帯電話機やスマートフォンと称される携帯型通信装置（移動体通信端末装置）をインターホン子機４として用いてもよい。その場合、制御プログラムをアプリとして携帯型通信装置で実行させるようにしてもよい。
（第２実施形態）
【０１１３】
次に、本発明の第２実施形態に係る安否確認システム１ａについて説明する。安否確認システム１ａは、安否確認システム１と同様、図１によって示される。安否確認システム１ａは、安否確認システム１とは、インターホン子機が、移動体通信端末装置であるスマートフォン４ａによって構成される点で異なる。
【０１１４】
図５は、本発明の第２実施形態に係る安否確認システム１ａの構成を大略的に示すブロック図である。図５に示す安否確認システム１ａは、インターホンシステム１０と、スマートフォン４ａとを含む。インターホンシステム１０は、インターホン親機６ａと、管理装置５ａとを含む。インターホン親機６ａと、管理装置５ａとは、それぞれネットワーク７と接続されている。ネットワーク７には、電話会社等の移動体通信業者が運営する移動体通信基地局８が接続されている。これにより、インターホン親機６ａは、ネットワーク７と、移動体通信業者によって運営される移動体通信網とを介してスマートフォン４ａとデータ送受信可能にされている。
【０１１５】
スマートフォン４ａは、住戸１０１，１０２，１０３にそれぞれ対応するインターホン子機として設けられている。なお、インターホン子機は、移動体通信を行う携帯型の無線通信装置であればよく、例えば携帯電話機やタブレット端末装置等の移動体通信端末装置であってもよい。
【０１１６】
図６は、図５に示すスマートフォン４ａの電気的構成の一例を示すブロック図である。図７は、図５に示すインターホン親機６ａの電気的構成の一例を示すブロック図である。図８は、図５に示す管理装置５ａの電気的構成の一例を示すブロック図である。図９、図１０は、図５に示すスマートフォン４ａの主に表示画面を説明するための外観図である。
【０１１７】
図５〜図８に示す安否確認システム１ａは、図２に示す安否確認システム１とは、以下の点で異なる。すなわち、図６に示すインターホン子機であるスマートフォン４ａは、インターホン子機４と異なり、制御部４１の代わりに制御部４１ａを備え、通信Ｉ／Ｆ４９の代わりに移動体無線通信回路４９ａを備え、表示器４２及びキーボード４５の代わりにタッチパネルディスプレイ５１を備えている。また、応答釦４６、解錠釦４７は、タッチパネルディスプレイ５１にボタンとして表示されるようになっている。
【０１１８】
制御部４１ａは、例えば所定の演算処理を実行するＣＰＵ、一時的にデータを記憶するＲＡＭ、所定のプログラムを記憶する例えばフラッシュメモリ等の不揮発性の記憶素子、ＲＴＣ、タイマ回路、及びその周辺回路等を備えて構成されている。制御部４１ａは、例えばフラッシュメモリ等の不揮発性の記憶素子に記憶されたプログラムを実行することにより、子機処理部４２０として機能する。プログラムは、例えばネットワーク７に接続された図略のサーバ装置に記憶されており、スマートフォン４ａは、例えば、そのプログラムをいわゆるアプリとしてダウンロードすることで、インターホン子機として動作可能にされている。
【０１１９】
移動体無線通信回路４９ａは、移動体通信を実行する無線通信回路である。スマートフォン４ａは、移動体無線通信回路４９ａによって、移動体通信基地局８と無線通信を実行することで移動体通信網に接続され、移動体通信網やネットワーク７を介してインターホン親機６ａや管理装置５ａとデータ送受信可能にされている。以下、スマートフォン４ａ又は子機処理部４２０が、インターホン親機６ａ又は管理装置５ａとデータを送受信する処理について、説明を簡略化するため、移動体通信網、ネットワーク７、及び移動体無線通信回路４９ａの記載を省略する場合がある。
【０１２０】
制御部４１ａは、制御部４１とは異なり、在宅情報取得部４１１、時刻範囲設定部４１２、応答判定部４１３、安否判定部４１４、計数部４１５、判定部４１６、異常報知部４１７、解錠処理部４１８、及び記憶部４１９の各構成を備えず、これらの構成が図８に示す管理装置５ａに設けられている。
【０１２１】
子機処理部４２０は、移動体無線通信回路４９ａによって呼出要求が受信された場合、タッチパネルディスプレイ５１によって、図９に示す着信画面Ｇ１を表示させる。着信画面Ｇ１には、応答釦４６と、拒否釦５３（応答受付部）と、後述するインターホン親機６ａのカメラ６７で撮像された来訪者の撮影画像５２とが含まれている。
【０１２２】
子機処理部４２０は、インターホン親機６ａから、カメラ６７で撮像された来訪者の撮影画像５２やマイク６５で取得された音声信号を受信し、撮影画像５２をタッチパネルディスプレイ５１に表示させたり、音声をスピーカ４３から出力させたりする。また、子機処理部４２０は、居住者によるタッチパネルディスプレイ５１のタッチ操作に応じてタッチパネルディスプレイ５１の表示画面を変更したり、そのタッチ操作を示す情報、例えばタッチされた釦を示す情報を管理装置５ａへ送信したり、マイク４４で取得された音声信号をインターホン親機６ａへ送信したりする。
【０１２３】
図７に示すインターホン親機６ａは、図２に示すインターホン親機６とは、来訪者を撮影するカメラ６７をさらに備える点で異なる。カメラ６７は、例えばＣＭＯＳ（Complementary Metal Oxide Semiconductor）撮像素子や、ＣＣＤ（Charge Coupled Device）撮像素子等を用いて構成されている。また、インターホン親機６ａは、ネットワーク７を介して管理装置５ａと通信を実行する点、及びネットワーク７と移動体通信網とを介してスマートフォン４ａと通信を実行する点で異なる。
【０１２４】
インターホン親機６ａは、制御部６０を含む。制御部６０は、例えば所定の演算処理を実行するＣＰＵ、一時的にデータを記憶するＲＡＭ、所定のプログラムを記憶する例えばフラッシュメモリ等の不揮発性の記憶素子、及びその周辺回路等を備えて構成されている。制御部６０は、例えばフラッシュメモリ等の不揮発性の記憶素子に記憶されたプログラムを実行することにより、呼出制御部６０１、及び親機処理部６０２として機能する。
【０１２５】
なお、表示部６１及びキーボード６２を、タッチパネルディスプレイによって一体に構成してもよい。また、インターホン親機６ａは、例えばタブレット端末と称される情報端末装置を用いて構成されていてもよい。
【０１２６】
呼出制御部６０１は、キーボード６２で訪問先の部屋番号が入力され、呼出釦６３が押下され、すなわち部屋番号が受け付けられた場合、その受け付けられた部屋番号を宛先に指定して、居住者の呼び出しを要求する呼出要求を管理装置５ａへ送信する。
【０１２７】
親機処理部６０２は、マイク６５で取得された音声信号をスマートフォン４ａへ送信したり、カメラ６７で撮影された訪問者の画像データをスマートフォン４ａへ送信したりする。また、親機処理部６０２は、スマートフォン４ａから音声信号を受信し、スピーカ６４から出力させたりする。これにより、親機処理部６０２は、スマートフォン４ａとインターホン親機６ａとの間で通話可能とし、スマートフォン４ａとインターホン親機６ａとをインターホンとして機能させる。
【０１２８】
スマートフォン４ａとインターホン親機６ａとは、例えばＩＰ（Internet Protocol）電話として機能するようにしてもよい。スマートフォン４ａとインターホン親機６ａとの間で通話及び画像の送受信を行う手段としては、種々の通信方式を用いることができ、例えばＳＩＰ（Session Initiation Protocol）を用いることができる。
【０１２９】
図８に示す管理装置５ａは、管理装置５とは、以下の点で異なる。すなわち、管理装置５ａは、例えばＨＤＤ装置に記憶された制御プログラムを実行することによって、さらに、在宅情報取得部４１１、時刻範囲設定部４１２、応答判定部４１３、安否判定部４１４、計数部４１５、判定部４１６、異常報知部４１７、解錠処理部４１８、アクセス情報取得部７０１、及び移動体アクセス処理部７０２として機能する。また、管理装置５ａは、例えばＨＤＤ装置やＲＡＭ等から構成された記憶部４１９及びアクセス情報記憶部７０３をさらに備える。
【０１３０】
アクセス情報記憶部７０３には、各部屋番号を示す情報と、その各部屋番号の住居と対応するスマートフォン４ａにアクセスするためのアクセス情報とが予め対応づけて記憶されている。アクセス情報としては、例えば電話番号やアドレスなどの情報を用いることができる。
【０１３１】
アクセス情報取得部７０１は、インターホン親機６ａの呼出制御部６０１から送信された呼出要求を受信した場合、その送信された呼出要求の宛先に指定された部屋番号に対してアクセス情報記憶部７０３によって対応づけて記憶されたアクセス情報を取得する。
【０１３２】
移動体アクセス処理部７０２は、アクセス情報取得部７０１によって取得されたアクセス情報を用いて、インターホン親機６ａの呼出制御部６０１から送信された呼出要求を、移動体通信網を介してスマートフォン４ａへ送信する。また、移動体アクセス処理部７０２は、例えばＳＩＰサーバとしての処理を実行することによって、スマートフォン４ａと親機処理部６０２との間で、ＳＩＰによる通話及び画像の送受信を直接実行させるようにしてもよい。
【０１３３】
移動体アクセス処理部７０２によれば、インターホン親機６ａの呼出制御部６０１から送信された呼出要求は、移動体通信網を介してスマートフォン４ａへ送信される。すなわち、呼出制御部６０１は、呼出要求を、移動体通信網を介してスマートフォン４ａへ送信する。
【０１３４】
アクセス情報記憶部７０３、アクセス情報取得部７０１、及び移動体アクセス処理部７０２を備えることによって、訪問者がインターホン親機６ａに部屋番号を入力することで、その部屋番号の住居に対応したスマートフォン４ａを、インターホン子機として機能させることが可能となる。
【０１３５】
在宅情報取得部４１１、時刻範囲設定部４１２、応答判定部４１３、安否判定部４１４、計数部４１５、判定部４１６、異常報知部４１７、解錠処理部４１８、及び記憶部４１９の各構成は、配置されている場所が異なることに伴う処理の違いを除いて、安否確認システム１における各構成と同様に動作する。具体的には、在宅情報取得部４１１は、在宅情報を記憶部５０６から読み出すことにより取得する。時刻範囲設定部４１２は、例えば居住者がタッチパネルディスプレイ５１を操作して入力した時刻範囲の設定を、スマートフォン４ａから受信することにより受け付ける。
【０１３６】
応答判定部４１３は、インターホン親機６ａから送信された呼出要求が管理装置５ａで受信されたとき、又は管理装置５ａからスマートフォン４ａへの呼出要求の送信等を監視することにより、呼び出し報知のタイミングを間接的に検出することができる。また、応答判定部４１３は、スマートフォン４ａから、タッチ操作を示す情報を受信することにより、スマートフォン４ａで居住者の応答が受け付けられたことを検出することができる。この場合、タッチ操作を示す情報としては、例えば、応答釦４６、拒否釦５３、解錠釦４７、及び終了釦５４がタッチされたことを示す情報を用いることができる。
【０１３７】
異常報知部４１７は、安否異常信号を、通信Ｉ／Ｆ４９を介することなく通報部５０５へ通知する。解錠処理部４１８は、スマートフォン４ａから、解錠釦４７のタッチ操作を示す情報を受信したとき、解錠指示信号を共用ゲート開閉処理部５０２へ出力する。
【０１３８】
安否確認システム１ａの安否確認に関する動作は、上述の各構成の配置されている場所の差異に伴う処理の違いを除いて、図３、図４に示すフローチャートと同様であるのでその説明を省略する。
【０１３９】
図１１は、図５に示す安否確認システム１ａにおける、インターホン親機６ａからスマートフォン４ａへの呼出要求処理の一例を示すフローチャートである。図１１に示す動作は、図３又は図４に示すフローチャートと並行して実行される。
【０１４０】
まず、来訪者が、エントランス２３でインターホン親機６ａを操作し、キーボード６２によって宛先の住戸の部屋番号を入力し、呼出釦６３を押下すると、キーボード６２によって宛先の部屋番号が受け付けられる（ステップＳ１１でＹＥＳ）。キーボード６２で宛先の部屋番号が受け付けられると、呼出制御部６０１によって、その受け付けられた部屋番号を宛先に指定して、呼出要求が管理装置５ａへ送信される（ステップＳ１２）。
【０１４１】
次に、管理装置５ａで呼出要求が受信されると、アクセス情報取得部７０１によって、その呼出要求の宛先に指定された部屋番号に対してアクセス情報記憶部７０３によって対応づけて記憶されたアクセス情報が取得される（ステップＳ１３）。
【０１４２】
次に、移動体アクセス処理部７０２によって、アクセス情報取得部７０１で取得されたアクセス情報を用いて、移動体通信網を介してのスマートフォン４ａへのアクセスが実行され、例えばＳＩＰによりインターホン親機６ａと宛先のスマートフォン４ａとが通信可能に通信接続される（ステップＳ１４）。
【０１４３】
次に、移動体アクセス処理部７０２によって、宛先の部屋番号に対応するスマートフォン４ａへ呼出要求が送信される。また、インターホン親機６ａの親機処理部６０２によって、宛先の部屋番号に対応するスマートフォン４ａへ、カメラ６７で撮影された来訪者の撮影画像５２が送信される（ステップＳ１５）。
【０１４４】
アクセス情報記憶部７０３、アクセス情報取得部７０１、及び移動体アクセス処理部７０２を備え、ステップＳ１１〜Ｓ１５を実行することによって、来訪者がインターホン親機６ａに部屋番号を入力することで、その部屋番号の住居に対応したスマートフォン４ａを、インターホン子機として機能させることが可能となる。
【０１４５】
次に、スマートフォン４ａでは、移動体無線通信回路４９ａによって、移動体アクセス処理部７０２から移動体通信網を介して呼出要求が受信されたとき、子機処理部４２０によって、タッチパネルディスプレイ５１に図９に示す着信画面Ｇ１が表示される。また、子機処理部４２０は、インターホン親機６ａから送信された撮影画像５２を着信画面Ｇ１に表示させる。
【０１４６】
着信画面Ｇ１で、居住者が応答釦４６にタッチすると、子機処理部４２０は、タッチパネルディスプレイ５１の表示を図１０に示す通話中画面Ｇ２に切り替えると共に、応答釦４６がタッチされたことを示す情報を、ユーザの応答を示す情報として管理装置５ａへ送信する。通話中画面Ｇ２には、解錠釦４７（応答受付部）と終了釦５４（応答受付部）とが含まれている。
【０１４７】
一方、着信画面Ｇ１で、居住者が拒否釦５３にタッチすると、子機処理部４２０は、拒否釦５３がタッチされたことを示す情報を、ユーザの応答を示す情報として管理装置５ａへ送信し、インターホン子機としての処理を終了する。なお、居住者の誤操作を防止するため、子機処理部４２０は、拒否釦５３がタッチされた場合、拒否操作の確認画面をタッチパネルディスプレイ５１に表示するようにしてもよい。
【０１４８】
他方、管理装置５ａでは、スマートフォン４ａから、応答釦４６がタッチされたことを示す情報が受信されると（ステップＳ１６でＹＥＳ）、例えば、移動体アクセス処理部７０２によって、ＳＩＰを用いてインターホン親機６ａとスマートフォン４ａとが音声通話可能にされる。これにより、インターホン親機６ａのスピーカ６４、マイク６５と、スマートフォン４ａのスピーカ４３、マイク４４とを用いて居住者と来訪者とが、音声通話可能とされる。
【０１４９】
さらに、居住者が、通話中画面Ｇ２において解錠釦４７にタッチすると、子機処理部４２０は、解錠釦４７がタッチされたことを示す情報を、ユーザの応答を示す情報として管理装置５ａへ送信する。一方、居住者が、通話中画面Ｇ２において終了釦５４にタッチすると、子機処理部４２０は、終了釦５４がタッチされたことを示す情報を、ユーザの応答を示す情報として管理装置５ａへ送信し、インターホン子機としての処理を終了する。
【０１５０】
そして、管理装置５ａでは、スマートフォン４ａから、解錠釦４７がタッチされたことを示す情報が受信されると（ステップＳ１９でＹＥＳ）、解錠処理部４１８によって、解錠指示信号が共用ゲート開閉処理部５０２へ出力され、共用ゲート開閉処理部５０２によって、予め設定された開放時間、共用ゲート２３３が開かれた後、共用ゲート２３３が閉じられ（ステップＳ２０）、ステップＳ２１へ移行する。
【０１５１】
一方、解錠釦４７がタッチされたことを示す情報が受信されなければ（ステップＳ１９でＮＯ）、ステップＳ２１へ移行する。
【０１５２】
ステップＳ２１では、管理装置５ａで、スマートフォン４ａから、終了釦５４がタッチされたことを示す情報が受信されると（ステップＳ２１でＹＥＳ）、処理を終了する一方、終了釦５４がタッチされたことを示す情報が受信されなければ（ステップＳ２１でＮＯ）、再びステップＳ１９〜Ｓ２１が繰り返される。
【０１５３】
一方、ステップＳ１６において、管理装置５ａで、スマートフォン４ａから、応答釦４６がタッチされたことを示す情報が受信されなければ（ステップＳ１６でＮＯ）、ステップＳ１７へ移行する。ステップＳ１７では、管理装置５ａで、スマートフォン４ａから、拒否釦５３がタッチされたことを示す情報が受信されると（ステップＳ１７でＹＥＳ）、処理を終了する一方、拒否釦５３がタッチされたことを示す情報が受信されなければ（ステップＳ１７でＮＯ）、再びステップＳ１６〜Ｓ１７が繰り返される。
【０１５４】
以上、ステップＳ１１〜Ｓ２１の処理によれば、居住者が所有しているスマートフォンや携帯電話機などの移動体通信端末装置を、インターホン子機として用いることができる。これにより、専用のインターホン子機を設ける必要が無いので、インターホンのコストを低減することができる。
【０１５５】
また、もし仮に、インターホン子機が部屋に固定的に取り付けられていた場合には、居住者がインターホン子機とは別の部屋にいたとき、呼び出しに気付かずに応答しないおそれがある。この場合、安否確認の判定精度が低下する。一方、安否確認システム１ａによれば、居住者は、自分のスマートフォン４ａを身に付けることができるので、居住者がどの部屋にいても、応答することができる。その結果、安否確認の判定精度が向上する。従って、インターホン親機６ａ、アクセス情報取得部７０１、移動体アクセス処理部７０２、及びアクセス情報記憶部７０３を備え、スマートフォン４ａをインターホン子機として用いるインターホンシステム１０は、安否確認システム１，１ａに適している。
【０１５６】
また、安否確認システム１ａによれば、居住者は、自分のスマートフォン４ａを身に付けて外出することができるので、外出中であっても、来訪者に対してスマートフォン４ａによって応答することができる。これにより、留守中であることが来訪者に知られることがないので、防犯上好ましい。また、外出中に居住者が来訪者に応答できるので、居住者及び来訪者の利便性が向上する。
【０１５７】
安否確認システム１ａによれば、居住者が、自分のスマートフォン４ａを身に付けて外出することができる点に鑑みて、入出管理部５０４や在宅情報取得部４１１を備えず、ステップＳ３を実行しない構成としてもよい。これにより、居住者の外出中を含めて、安否確認を行うことが可能となる。
【０１５８】
なお、アクセス情報取得部７０１、移動体アクセス処理部７０２、及びアクセス情報記憶部７０３は、インターホン親機６ａに設けられていてもよい。また、在宅情報取得部４１１、時刻範囲設定部４１２、応答判定部４１３、安否判定部４１４、計数部４１５、判定部４１６、異常報知部４１７、解錠処理部４１８、及び記憶部４１９のうち、少なくとも一部がスマートフォン４ａ又はインターホン親機６ａに設けられていてもよい。また、認証処理部５０１、共用ゲート開閉処理部５０２、住居情報取得部５０３、入出管理部５０４、通報部５０５、及び記憶部５０６のうち、少なくとも一部がインターホン親機６ａに設けられていてもよい。また、インターホン親機６ａと管理装置５ａとが一体に構成されていてもよい。
【０１５９】
また、管理装置５ａは、認証処理部５０１、共用ゲート開閉処理部５０２、住居情報取得部５０３、入出管理部５０４、通報部５０５、記憶部５０６、在宅情報取得部４１１、時刻範囲設定部４１２、応答判定部４１３、安否判定部４１４、計数部４１５、判定部４１６、異常報知部４１７、解錠処理部４１８、及び記憶部４１９を備えず、インターホンシステム１０は、安否確認機能を有さないインターホンシステムとして構成されていてもよい。また、管理装置５ａを備えず、アクセス情報取得部７０１、移動体アクセス処理部７０２、及びアクセス情報記憶部７０３を、インターホン親機６ａが備え、インターホン親機６ａ単体でインターホンシステム１０が構成されていてもよい。
【０１６０】
また、インターホン親機６ａは、インターホン親機６と同様、各住戸にそれぞれ対応して各住戸の入口扉３の外側に配設されていてもよく、戸建て住宅に設けられていてもよい。これらの場合、インターホン親機６ａは、キーボード６２を備えていなくてもよく、呼出釦６３が押下されたとき、呼出要求信号が呼出制御部６０１へ送信されるようにしてもよい。この場合、呼出釦６３は、呼出要求受付部の一例に相当する。
【０１６１】
安否確認機能を有さないインターホンシステムとして構成されたインターホンシステム１０は、居住者が自分のスマートフォン４ａをインターホン子機として用いることができるので、専用のインターホン子機を設ける場合と比べてコストを低減することができる。また、自分のスマートフォン４ａを身に付けて外出することができるので、外出中であっても、来訪者に対してスマートフォン４ａによって応答することができる。これにより、留守中であることが来訪者に知られることがないので、防犯上好ましい。また、外出中に居住者が来訪者に応答できるので、居住者及び来訪者の利便性が向上する。そして、このようなインターホンシステム１０は、安否確認システム１，１ａに適用した場合、上述したように安否確認の判定精度を向上することができるので、安否確認システム１，１ａ用のインターホンシステムとして好適である。
【符号の説明】
【０１６２】
１，１ａ    安否確認システム
２    集合住宅
３    入口扉
４    インターホン子機（インターホン）
４ａ  スマートフォン（移動体通信端末装置）
５，５ａ    管理装置
６，６ａ    インターホン親機
７    ネットワーク
８    移動体通信基地局
２３  エントランス
２４  ドアセンサ
４１，４１ａ      制御部
４２  表示器
４３  スピーカ（報知部）
４４  マイク
４５  キーボード
４６  応答釦（応答受付部）
４７  解錠釦（応答受付部、解錠指示受付部）
４９ａ      移動体無線通信回路
５１  タッチパネルディスプレイ
５２  撮影画像
５３  拒否釦（応答受付部）
５４  終了釦（応答受付部）
６１  表示部
６２  キーボード（部屋番号受付部）
６３  呼出釦（呼出要求受付部）
６４  スピーカ
６５  マイク
６６  カードリーダ
６７  カメラ
１０１，１０２，１０３  住戸（住居）
２２０      管理人室
２３１      玄関扉
２３３      共用ゲート
２３４      無線通信部
２３４Ａ    領域
２３５      共用ゲート駆動部
４１１      在宅情報取得部
４１２      時刻範囲設定部
４１３      応答判定部
４１４      安否判定部
４１５      計数部
４１６      判定部
４１７      異常報知部
４１８      解錠処理部
４１９，５０６    記憶部
４２０      子機処理部
５０１      認証処理部
５０２      共用ゲート開閉処理部
５０３      住居情報取得部
５０４      入出管理部
５０５      通報部
６０１      呼出制御部
６０２      親機処理部
７０１      アクセス情報取得部
７０２      移動体アクセス処理部
７０３      アクセス情報記憶部
Ｃｊ  判定回数
ＣＴ  計数値
Ｔｗ  監視時間
【図１】
0006517022.tif 000002
【図２】
0006517022.tif 000003
【図３】
0006517022.tif 000004
【図４】
0006517022.tif 000005
【図５】
0006517022.tif 000006
【図６】
0006517022.tif 000007
【図７】
0006517022.tif 000008
【図８】
0006517022.tif 000009
【図９】
0006517022.tif 000010
【図１０】
0006517022.tif 000011
【図１１】
0006517022.tif 000012